(57)【要約】【課題】共通電極とゲートラインとの間の寄生キャパシタンスを低減する。【解決手段】本発明は、ゲート駆動集積回路はディスプレイモードである場合、スキャン信号をゲートラインに出力するためのプルアップトランジスタ、及びプルダウントランジスタと、タッチモードである場合、共通電極に印加されるタッチ駆動信号、またはタッチ駆動信号に対応する信号をゲートラインにも出力するタッチモード専用トランジスタをさらに含む。【選択図】図２
2016014857.tif 000002
【特許請求の範囲】
【請求項１】
複数のデータライン及び複数のゲートラインが形成され、且つ複数の共通電極が形成された表示パネルと、
駆動モードがディスプレイモードである場合、前記複数のデータラインにデータ電圧を供給するデータ駆動部と、
前記駆動モードが前記ディスプレイモードである場合、前記複数のゲートラインにスキャン信号を順次に供給するゲート駆動部とを含み、
前記駆動モードが前記ディスプレイモードである場合、前記複数の共通電極に共通電圧が印加され、前記駆動モードがタッチモードである場合、前記複数の共通電極のうち、少なくとも１つにタッチ駆動信号が印加され、
前記ゲート駆動部に含まれた多数のゲート駆動集積回路の各々は、
前記駆動モードが前記ディスプレイモードである場合、前記スキャン信号を当該ゲートラインに出力するためのプルアップトランジスタ、及びプルダウントランジスタと、
前記駆動モードが前記タッチモードである場合、前記タッチ駆動信号、又は前記タッチ駆動信号に対応する信号を当該ゲートラインに出力するためのタッチモード専用トランジスタをさらに含む、タッチスクリーンパネル一体型表示装置。
【請求項２】
前記タッチモード専用トランジスタのソース、又はドレインは、前記プルアップトランジスタ及び前記プルダウントランジスタが互いに連結されて前記スキャン信号が当該ゲートラインに出力される地点と連結され、
前記タッチモード専用トランジスタのドレイン又はソースには、前記タッチ駆動信号又は前記タッチ駆動信号に対応する信号が印加され、
前記タッチモード専用トランジスタのゲートには、前記駆動モードが前記タッチモードである場合、前記タッチモード専用トランジスタがターンオンになるようにし、前記駆動モードが前記ディスプレイモードである場合、前記タッチモード専用トランジスタがターンオフになるようにタッチ同期化信号が印加される、請求項１に記載のタッチスクリーンパネル一体型表示装置。
【請求項３】
前記駆動モードが前記タッチモードである場合、前記プルダウントランジスタはターンオフになり、前記タッチモード専用トランジスタはターンオンになる、請求項１に記載のタッチスクリーンパネル一体型表示装置。
【請求項４】
前記多数のゲート駆動集積回路の各々に含まれたプルダウントランジスタは、奇数番目のフレームで動作する第１のプルダウントランジスタと、偶数番目のフレームで動作する第２のプルダウントランジスタとを含む、請求項１に記載のタッチスクリーンパネル一体型表示装置。
【請求項５】
前記第１プルダウントランジスタ及び前記第２のプルダウントランジスタは、前記駆動モードが前記タッチモードである場合、全てターンオフになる、請求項４に記載のタッチスクリーンパネル一体型表示装置。 
【請求項６】
前記多数のゲート駆動集積回路の各々は、前記駆動モードが前記タッチモードである場合、前記タッチモード専用トランジスタを通して前記複数の共通電極のうち少なくとも１つに印加される前記タッチ駆動信号と大きさ及び位相が同一の変調信号であって、前記タッチ駆動信号又は前記タッチ駆動信号に対応する信号を毎フレームごとに当該ゲートラインに出力する、請求項１に記載のタッチスクリーンパネル一体型表示装置。
【請求項７】
前記駆動モードが前記ディスプレイモードである場合は前記複数の共通電極に前記共通電圧を伝達し、前記駆動モードがタッチモードである場合は前記複数の共通電極のうち少なくとも１つに前記タッチ駆動信号を伝達するために前記複数の共通電極の各々に連結される信号ラインが前記表示パネルに形成される、請求項１に記載のタッチスクリーンパネル一体型表示装置。
【請求項８】
前記タッチ駆動信号を生成して出力するタッチセンシング部と、
前記共通電圧を供給する共通電圧供給部を更に含む、請求項７に記載のタッチスクリーンパネル一体型表示装置。
【請求項９】
前記タッチセンシング部は前記データ駆動部に含まれたデータ駆動集積回路とともに１チップ回路を構成し、
前記共通電圧供給部から供給された前記共通電圧は前記１チップ回路に印加され、
前記１チップ回路に含まれた前記タッチセンシング部は、前記共通電圧供給部から印加された前記共通電圧と、内部で生成された前記タッチ駆動信号のいずれか１つを駆動モードの種類に応じて選択し前記信号ラインに出力する、請求項８に記載のタッチスクリーンパネル一体型表示装置。
【請求項１０】
前記タッチセンシング部は少なくとも１つのタッチ集積回路チップを構成し、
前記データ駆動部はチップ型のデータ駆動集積回路を少なくとも１つ含み、
前記タッチ集積回路チップから出力された前記タッチ駆動信号と前記共通電圧供給部から供給された前記共通電圧のいずれか１つは、前記駆動モードの種類に応じて選択され前記信号ラインに出力される、請求項８に記載のタッチスクリーンパネル一体型表示装置。
【請求項１１】
前記多数のゲート駆動集積回路の各々はＧＩＰ（Ｇａｔｅ  Ｉｎ  Ｐａｎｅｌ）方式により前記表示パネルに形成され、
前記多数のゲート駆動集積回路の各々が前記スキャン信号を生成するように、ハイレベル電圧ＶＧＨ及びローレベル電圧ＶＧＬを前記多数のゲート駆動集積回路の各々に伝達するハイレベル電圧配線、及びローレベル電圧配線が前記表示パネルに形成され、
前記タッチセンシング部は、前記表示パネルに形成された前記ローレベル電圧配線を通して前記タッチ駆動信号又は前記タッチ駆動信号に対応する信号を伝達し、
前記多数のゲート駆動集積回路の各々は、前記駆動モードが前記タッチモードである場合、前記タッチモード専用トランジスタを通して前記タッチ駆動信号又は前記タッチ駆動信号に対応する信号を出力する、請求項８に記載のタッチスクリーンパネル一体型表示装置。
【請求項１２】
前記タッチセンシング部は、前記表示パネルに形成された前記ハイレベル電圧配線にも前記タッチ駆動信号又は前記タッチ駆動信号に対応する信号を印加する、請求項１１に記載のタッチスクリーンパネル一体型表示装置。
【請求項１３】
前記データ駆動部は、前記駆動モードが前記タッチモードである場合、前記タッチ駆動信号又は前記タッチ駆動信号に対応する信号を前記複数のデータラインの中、少なくとも１つに出力する、請求項１に記載のタッチスクリーンパネル一体型表示装置。
【請求項１４】
タッチスクリーンパネル一体型表示パネルにおいて、
ディスプレイモード時に共通電極が印加され、タッチモード時にタッチ駆動信号が印加される共通電極と、
スキャン信号を画素列に伝達するゲートラインと、
前記ゲートラインに連結され前記表示パネルに形成され、前記スキャン信号を前記ゲートラインに出力するゲート駆動集積回路とを含み、
前記ゲート駆動集積回路は、
前記ディスプレイモードである場合、前記スキャン信号を前記ゲートラインに出力するための前記プルアップトランジスタ及び前記プルダウントランジスタと、
前記タッチモードである場合、前記共通電極に印加される前記タッチ駆動信号又は前記タッチ駆動信号に対応する信号を前記ゲートラインにも出力するタッチモード専用トランジスタをさらに含む、タッチスクリーンパネル一体型表示パネル。
【発明の詳細な説明】
【技術分野】
【０００１】
本発明は、タッチスクリーンパネル一体型表示装置及び表示パネルに関する。
【背景技術】
【０００２】
情報化社会の発展に従い、画像を表示するための表示装置に対する要求が様々な形態で増加しており、近年では液晶表示装置（ＬＣＤ：Ｌｉｑｕｉｄ  Ｃｒｙｓｔａｌ  Ｄｉｓｐｌａｙ  Ｄｅｖｉｃｅ）、プラズマ表示装置（ＰＤＰ：Ｐｌａｓｍａ  Ｄｉｓｐｌａｙ  Ｐａｎｅｌ）、有機発光表示装置（ＯＬＥＤ：Ｏｒｇａｎｉｃ  Ｌｉｇｈｔ  Ｅｍｉｔｔｉｎｇ  Ｄｉｓｐｌａｙ Ｄｅｖｉｃｅ）などの多様な表示装置が利用されている。
【０００３】
このような表示装置は、データラインとゲートラインが形成されるとともにデータラインとゲートラインが互いに交差する地点ごとに画素が定義された表示パネルを含み、データラインにデータ信号を供給するデータ駆動部と、ゲートラインでスキャン信号を供給するゲート駆動部などを更に含む。
【０００４】
一方、ゲート駆動部はスキャン信号を出力するために、プルアップトランジスタとプルダウントランジスタを含んでおり、ゲートラインをオンにするためにプルアップトランジスタを通してハイレベル電圧（ＶＧＨ）をゲートラインに出力し、ゲートラインをオフにするためにプルダウントランジスタを通してローレベル電圧（ＶＧＬ）をゲートラインに出力する。
【０００５】
この際、ゲート駆動集積回路において、プルダウントランジスタを長時間オン（Ｏｎ）にしなければならないため、プルダウントランジスタの劣化が生じる問題点があった。
【０００６】
一方、表示パネルがタッチパネル一体型である場合、表示パネルに形成された電極をタッチ駆動信号を印加するためのタッチ電極に用いられる。このようなタッチスクリーンパネル一体型表示パネルにおいて、タッチ電極にタッチ駆動信号が印加される場合、表示パネルでタッチ駆動及びタッチセンシングを妨げる寄生キャパシタンスが形成されるという問題が生じていた。
【発明の概要】
【発明が解決しようとする課題】
【０００７】
このような背景から、本発明の目的は、タッチ電極の役割を果たす共通電極にタッチ駆動信号が印加される際、表示パネルに形成されたゲートラインと共通電極の間に寄生キャパシタンスが形成されないようにするタッチスクリーンパネル一体型表示装置、及び表示パネルを提供することにある。
【０００８】
本発明の他の目的は、タッチ電極の役割を果たす共通電極にタッチ駆動信号が印加される際、表示パネルに形成されたデータラインと共通電極の間に寄生キャパシタンスが形成されないようにするタッチスクリーンパネル一体型表示装置、及び表示パネルを提供することにある。
【課題を解決するための手段】
【０００９】
前述した目的を達成するために、本発明の一側面において、複数のデータライン及び複数のゲートラインが形成され、複数の共通電極が形成された表示パネルと、駆動モードがディスプレイモードである場合、前記複数のデータラインにデータ電圧を供給するデータ駆動部と、前記駆動モードが前記ディスプレイモードである場合、前記複数のゲートラインにスキャン信号を順次に供給するゲート駆動部とを含み、前記駆動モードが前記ディスプレイモードである場合、前記複数の共通電極に共通電圧が印加され、前記駆動モードがタッチモードである場合、前記複数の共通電極のうち少なくとも１つにタッチ駆動信号が印加され、前記ゲート駆動部に含まれた多数のゲート駆動集積回路の各々は、前記駆動モードが前記ディスプレイモードである場合、前記スキャン信号を当該ゲートラインに出力するためのプルアップトランジスタ及びプルダウントランジスタと、前記駆動モードが前記タッチモードである場合、前記タッチ駆動信号又は前記タッチ駆動信号に対応する信号を当該ゲートラインに出力するためのタッチモード専用のトランジスタをさらに含むタッチスクリーンパネル一体型表示装置を含む。
【００１０】
本発明の他の側面は、タッチスクリーンパネル一体型表示パネルにおいて、ディスプレイモード時に共通電極が印加され、タッチモード時にタッチ駆動信号が印加される共通電極と、スキャン信号を画素列に伝達するゲートラインと、及び前記ゲートラインに連結されて前記表示パネルに形成され、前記スキャン信号を前記ゲートラインに出力するゲート駆動集積回路を含み、前記ゲート駆動集積回路は前記ディスプレイモードである場合、前記スキャン信号を前記ゲートラインに出力するための前記プルアップトランジスタ及び前記プルダウントランジスタと、前記タッチモードである場合、前記共通電極に印加される前記タッチ駆動信号又は前記タッチ駆動信号に対応する信号を前記ゲートラインにも出力するタッチモード専用のトランジスタをさらに含むタッチスクリーンパネル一体型表示パネルを提供する。
【発明の効果】
【００１１】
以上で説明したように本発明によれば、タッチ電極の役割を果たす共通電極にタッチ駆動信号が印加される際、表示パネルに形成されたゲートラインと共通電極の間に寄生キャパシタンスが形成されないタッチスクリーンパネル一体型表示装置、及び表示パネルを提供することができる。
【００１２】
本発明によれば、タッチ電極の役割を果たす共通電極にタッチ駆動信号が印加される際、表示パネルに形成されたデータラインと共通電極の間に寄生キャパシタンスが形成されないタッチスクリーンパネル一体型表示装置、及び表示パネルを提供することができる。
【００１３】
このように、寄生キャパシタンスの形成を防止、又は削減することにより、タッチ駆動の負荷を低減し、且つタッチセンシングの精度を更に向上することができる。
【００１４】
また、本発明によれば、ディスプレイモードでゲートラインにローレベル電圧のスキャン信号を出力するためのプルダウントランジスタの劣化が生じたとしても、これに対するいかなる影響をも排除できる。従って、タッチモード時、タッチモード専用のトランジスタを用いてゲートラインに所望のタッチ駆動信号を印加することができる。
【００１５】
これにより、共通電極とゲートラインの間に寄生キャパシタンスが生じる可能性を更に低減することができる。
【００１６】
また、本発明によれば、ディスプレイモードでゲートラインにローレベル電圧のスキャン信号を出力するためのプルダウントランジスタの劣化を減らすことができる。このため、奇数番目フレームと偶数番目フレームの各々で別途のプルダウントランジスタを交互に駆動する場合、奇数番目フレームと偶数番目フレームの各々で交互に動作する２つのプルダウントランジスタの間の劣化程度の差に起因する影響を低減でき、タッチモード時、タッチモード専用トランジスタを用いてゲートラインに所望のタッチ駆動信号を印加することができる。
【００１７】
これにより、共通電極とゲートラインの間に寄生キャパシタンスが生じる可能性を更に減らすことができる。
【図面の簡単な説明】
【００１８】
【図１】本実施例によるタッチスクリーンパネル一体型表示装置の概略的図である。
【図２】本実施例によるタッチスクリーンパネル一体型表示装置において、パネル部分をより詳しく例示的に示す図である。
【図３】本実施例によるタッチスクリーンパネル一体型表示装置の駆動モードであるディスプレイモード、及びタッチモードに応じて共通電極に印加される信号の概念図である。
【図４】本実施例によるタッチスクリーンパネル一体型表示装置で発生するキャパシタンス成分を示す図である。
【図５】実施例によるタッチスクリーンパネル一体型表示装置において、駆動モードがタッチモードである場合、寄生キャパシタンスの発生を考慮し、データライン及びゲートラインにもタッチ駆動信号が印加されることの概念図である。
【図６】本実施例によるタッチスクリーンパネル一体型表示装置の駆動モードであるディスプレイモード、及びタッチモードに応じて共通電極、データライン、及びゲートラインに印加される信号波形の概念図である。
【図７】本実施例によるタッチスクリーンパネル一体型表示装置において、駆動モードであるディスプレイモード及びタッチモードに応じてスキャン信号ＶＧＨ、ＶＧＬ、またはタッチ駆動信号をゲートラインに印加するためのゲート駆動部内のゲート駆動集積回路を示す図である。
【図８】本実施例によるタッチスクリーンパネル一体型表示装置において、基本ゲート駆動構造を有するゲート駆動集積回路を例示的に示す図である。
【図９】本実施例によるタッチスクリーンパネル一体型表示装置において、交番ゲート駆動構造を有するゲート駆動集積回路を例示的に示す図である。
【図１０】本実施例によるタッチスクリーンパネル一体型表示装置において、基本ゲート駆動構造及びタッチモード専用トランジスタ構造を有するゲート駆動集積回路を例示的に示す図である。
【図１１】本実施例によるタッチスクリーンパネル一体型表示装置において、交番ゲート駆動構造及びタッチモード専用トランジスタ構造を有するゲート駆動集積回路を例示的に示す図である。
【図１２】ゲート駆動集積回路が交番ゲート駆動構造を有する場合、タッチモード専用トランジスタの有無によってゲートラインに印加される信号波形の差異点を説明するための図である。
【図１３】本実施例によるタッチスクリーンパネル一体型表示装置において、駆動モードがタッチモードである場合、ローレベル電圧配線、及びハイレベル電圧配線を通した信号伝達を示す図である。
【図１４】本実施例によるタッチスクリーンパネル一体型表示装置において、共通電極、データライン、及びゲートラインに信号を出力するための構成図である。
【図１５】本実施例によるタッチスクリーンパネル一体型表示装置において、タッチセンシング部を例示的に示す他の図である。
【図１６】本実施例によるタッチスクリーンパネル一体型表示装置において、タッチセンシング部を例示的に示す他の図である。
【発明を実施するための形態】
【００１９】
以下、本発明における一実施例を図を参照しながら詳しく説明する。各図の構成要素に参照符号を付すにあたって、同一の構成要素については他の図面上に表示されていたとしても、同じ符号が付され得る。また、本発明を説明するにあたって、かかる公知構成又は機能に対する具体的な説明が本発明の要旨に関連しない場合には、その詳細な説明は省略する。
【００２０】
尚、本発明の構成要素を説明するにあたって、第１、第２、Ａ、Ｂ、（ａ）、（ｂ）などの用語を用いることができる。このような用語は、その構成要素を他の構成要素と区別するためのものだけであって、その用語によって当該構成要素の本質、手順または順序などが限定されない。ある構成要素が他の構成要素に連結、結合または接続されると記載された場合、その構成要素はその他の構成要素に直接連結されたり、若しくは接続することができるが、各構成要素の間に他の構成要素が介在されたり、各構成要素が他の構成要素を介して連結、結合、または接続することが可能である。
【００２１】
図１は、本実施例によるタッチスクリーンパネル一体型表示装置１００を概略図である。
【００２２】
図１を参照すると、本実施例によるタッチスクリーンパネル一体型表示装置１００は、複数のデータラインＤＬ及び複数のゲートラインＧＬが形成された表示パネル１１０と、駆動モードがディスプレイモードである場合、複数のデータラインにデータ電圧を供給するデータ駆動部１２０と、駆動モードがディスプレイモードである場合、複数のゲートラインにスキャン信号を順次に供給するゲート駆動部１３０と、データ駆動部１２０及びゲート駆動部１３０を制御するタイミングコントローラ１４０などを含む。
【００２３】
前述したデータ駆動部１２０は、少なくとも１つのデータ駆動集積回路（ＤＤＩＣ）を含み得るが、このような少なくとも１つのデータ駆動集積回路は、テープ自動ボンディング（ＴＡＢ）方式、またはチップオングラス（ＣＯＧ）方式により表示パネル１１０のボンディングパッドに連結されたり、あるいは、表示パネル１１０に集積化されて形成し得る。
【００２４】
前述したゲート駆動部１３０は、駆動方式によって、図１に示すように表示パネル１１０の一側のみに設けても良く、また、２つに分けて表示パネル１１０の両側に設けても良い。
【００２５】
また、ゲート駆動部１３０は少なくとも１つのゲート駆動集積回路（ＧＤＩＣ）を含み得るが、このような少なくとも１つのゲート駆動集積回路はテープ自動ボンディング（ＴＡＢ）方式またはチップオングラス（ＣＯＧ）方式により表示パネル１１０のボンディングパッドに連結されたり、ＧＩＰ（Ｇａｔｅ  Ｉｎ  Ｐａｎｅｌ）型で具現され表示パネル１１０に直接形成しても良く、あるいは、表示パネル１１０に集積化され形成し得る。
【００２６】
一方、本実施例による表示パネル１１０はタッチスクリーンパネル（ＴＳＰ）が内蔵されたタイプであって、タッチスクリーンパネル一体型表示パネルと呼ばれる。即ち、本実施例による表示パネル１１０はディスプレイパネル及びタッチスクリーンパネルの役割をいずれも果たすことができる。
【００２７】
続いて、図２を用いて本実施例によるタッチスクリーンパネル一体型表示パネル１１０をより詳しく説明する。
【００２８】
図２は本実施例によるタッチスクリーンパネル一体型表示装置１００において表示パネル１１０部分をより詳しく例示的に示した図である。
【００２９】
図２を参照すると、タッチスクリーンパネル一体型表示パネル１１０は駆動モードがディスプレイモードである場合、ディスプレイパネルの役割を果たし、駆動モードがタッチモードである場合、タッチスクリーンパネルの役割を果たす。
【００３０】
図２を参照すると、タッチスクリーンパネル一体型表示パネル１１０には複数のデータライン（ＤＬ）及び複数のゲートライン（ＧＬ）が形成されるだけでなく、複数の共通電極（ＣＥ）が形成される。
【００３１】
図２を参照すると、複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４は、表示パネル１１０がディスプレイパネルの役割とタッチスクリーンの役割を両方果たすことができるようにする電極である。
【００３２】
従って、複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、CE３３、CE３４は、駆動モードがディスプレイモードである場合、共通電圧Ｖｃｏｍが印加され、駆動モードがタッチモードである場合、タッチ駆動信号Ｖｔｍが印加される。
【００３３】
言い換えれば、駆動モードがディスプレイモードである場合、複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４には、同一の共通電圧Ｖｃｏｍが共通して印加される。駆動モードがタッチモードである場合、複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４のうち１つまたは２つ以上にはタッチの有無、タッチ座標などの検出のためのタッチ駆動信号Ｖｔｍが印加される。この場合、複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４はタッチ電極の役割を果たす。
【００３４】
図２を参照すると、駆動モードがディスプレイモードである場合、複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４に共通電圧Ｖｃｏｍを伝達し、駆動モードがタッチモードである場合、複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４のうち少なくとも１つにタッチ駆動信号Ｖｔｍを伝達するために、複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４の各々に連結される信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４が表示パネル１１０に形成される。
【００３５】
図３は、実施例によるタッチスクリーンパネル一体型表示装置１００の駆動モードであるディスプレイモード及びタッチモードに応じて共通電極ＣＥに印加される信号の概念図である。
【００３６】
図３を参照すると、１つのフレーム区間ごとに、ディスプレイモードとタッチモードが連続して行われる。
【００３７】
図３を参照すると、ディスプレイモードでは共通電極ＣＥに共通電圧Ｖｃｏｍが印加され、タッチモードでは共通電極ＣＥにタッチ駆動信号Ｖｔｍが印加される。
【００３８】
タッチモードでは、共通電極ＣＥにタッチ駆動信号Ｖｔｍが印加されタッチセンシングが行われる。
【００３９】
これに関して、本実施例によるタッチスクリーンパネル一体型表示装置１００はタッチ方式として、タッチスクリーンパネルに形成された多数のタッチ電極（例：横方向電極、縦方向電極）を通してキャパシタンス（静電容量）の変化を基にタッチの有無、及びタッチ座標などを検出するキャパシタンスタッチ方式を採用している。
【００４０】
このようなキャパシタンスタッチ方式は、一例として、相互キャパシタンスタッチ方式と自己キャパシタンスタッチ方式に分けられる。
【００４１】
先ず、キャパシタンスタッチ方式の一種である相互キャパシタンスタッチ方式は横方向電極及び縦方向電極のいずれか一方向の電極が、駆動電圧が印加されるＴｘ電極（駆動電極とも呼ぶ）となり、他の一方向の電極が駆動電圧をセンシングしてＴｘ電極とキャパシタンスを形成するＲｘ電極（センシング電極とも呼ぶ）となり、指、ペンなどのポインターの有無によるＴｘ電極とＲｘ電極間のキャパシタンス（相互キャパシタンス）の変化を基に、タッチの有無及びタッチ座標などを検出するタッチ方式である。
【００４２】
さらに、キャパシタンスタッチ方式の他の一種である自己キャパシタンスタッチ方式は、タッチ電極が指、ペンなどのポインターとキャパシタンス（自己キャパシタンス）を形成し、指、ペンなどのポインターの有無によるタッチ電極とポイント間のキャパシタンス値を測定し、これを基にタッチの有無及びタッチ座標などを検出する方式である。このような自己キャパシタンスタッチ方式は相互キャパシタンスタッチ方式とは異なって、各タッチ電極を通して駆動電圧（タッチ駆動信号）が印加されると同時にセンシングされる。
【００４３】
本実施例によるタッチスクリーンパネル一体型表示装置１００は、前述した２つのキャパシタンスタッチ方式（相互キャパシタンスタッチ方式、自己キャパシタンスタッチ方式）のいずれか１つを採用することが可能である。但し、本明細書では、説明の便宜のため、自己キャパシタンスタッチ方式が採用されたものと仮定して実施例を説明する。
【００４４】
図４は本実施例によるタッチスクリーンパネル一体型表示装置１００で発生するキャパシタンス成分Ｃｓｅｌｆ、Ｃｐａｒａ１、Ｃｐａｒａ２を示す図である。
【００４５】
図４を参照すると、タッチモードではタッチ電極の役割を果たし、ディスプレイモードでは全画素に共通電圧Ｖｃｏｍを供給するための共通電圧電極の役割を果たす複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４は、タッチモードでタッチの有無及びタッチ座標などを検出するために、指、及びペンなどのポインタとキャパシタンスＣｓｅｌｆが形成され得る。ところが、ディスプレイ用のデータラインＤＬ及びゲートラインＧＬにおいて不所望の寄生キャパシタンスＣｐａｒａ１、Ｃｐａｒａ２が形成される恐れがある。
【００４６】
このようなタッチモード時に発生する寄生キャパシタンスＣｐａｒａ１、Ｃｐａｒａ２は、タッチ駆動の大きな負荷として作用し、タッチセンシングの精度を低下させたり、タッチセンシング自体を不可能にすることもある。このような寄生キャパシタンスＣｐａｒａは表示装置１００または表示パネル１１０のサイズが大きくなるほどより大きくなり、タッチセンシングにより大きな問題を引き起こす恐れがある。
【００４７】
図５は本実施例によるタッチスクリーンパネル一体型表示装置１００において、駆動モードがタッチモードである場合、寄生キャパシタンスＣｐａｒａ１、Ｃｐａｒａ２の発生を考慮して、データラインＤＬ及びゲートラインＧＬにもタッチ駆動信号Ｖｔｍが印加されること示す概念図である。
【００４８】
図５を参照すると、本実施例によるタッチスクリーンパネル一体型表示装置１００では、駆動モードがタッチモードである場合、複数の共通電極ＣＥのうち、少なくとも１つに印加されるタッチ駆動信号Ｖｔｍ、またはこれに対応する信号がデータラインＤＬ及びゲートラインＧＬにも印加される。
【００４９】
これにより、共通電極ＣＥとゲートラインＧＬの間の電位差が無くなり（等電位になり）、共通電極ＣＥとゲートラインＧＬの間に寄生キャパシタンスＣｐａｒａ１が形成されなくなる。同様に、共通電極ＣＥとデータラインＤＬの間の電位差が無くなり（等電位になり）、共通電極ＣＥとデータラインＤＬの間に寄生キャパシタンスＣｐａｒａ２が形成されなくなる。
【００５０】
１フレーム区間ごとにディスプレイモードとタッチモードが繰り返される場合、ディスプレイモード及びタッチモード時、共通電極ＣＥ、データラインＤＬ、及びゲートラインＧＬに印加される信号波形を示すと図６のようになる。
【００５１】
図６は、本実施例によるタッチスクリーンパネル一体型表示装置１００の駆動モードであるディスプレイモード、及びタッチモードに応じて共通電極ＣＥ、データラインＤＬ、及びゲートラインＧＬに出力する信号波形の概念図である。
【００５２】
図６を参照すると、駆動モードがディスプレイモードである場合、データ駆動部１２０はデータ電圧ＶｄａｔａをデータラインＤＬを通して出力する。ゲート駆動部１３０は、１フレーム区間の間、ハイレベル電圧ＶＧＨを有する短い区間が一度存在し、残りの長い区間の間、ローレベル電圧ＶＧＬを有するスキャン信号を当該ゲートラインＧＬに出力する。
【００５３】
また、駆動モードがディスプレイモードである場合、後述する図１４の共通電圧供給部１４１０から供給される共通電圧Ｖｃｏｍは、複数の信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４を通して複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４に印加される。
【００５４】
この際、共通電圧Ｖｃｏｍは図１４の共通電圧供給部１４１０からデータ駆動部１２０に伝達された後、データ駆動部１２０によって、複数の信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４に出力されてもよい。また、場合によって、共通電圧Ｖｃｏｍはデータ駆動部１２０を通さず、図１４の共通電圧供給部１４１０から複数の信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４に直ちに出力されてもよい。
【００５５】
このような共通電圧印加経路及び印加方式については、図１５及び図１６を参照しながら詳細に説明する。
【００５６】
一方、駆動モードがタッチモードである場合、後述する図１４に示したタッチセンシング部１４００で生成されたタッチ駆動信号Ｖｔｍは、複数の信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４のうち少なくとも１つを通して、複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４のうち、少なくとも１つに印加される。
【００５７】
この際、一例として、タッチ駆動信号Ｖｔｍは後述する図１４のタッチセンシング部１４００で生成され、データ駆動部１２０を通して複数の信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４のうち、少なくとも１つに出力されてもよい。また、場合によって、タッチ駆動信号Ｖｔｍは後述する図１４のタッチセンシング部１４００で生成され、複数の信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４のうち、少なくとも１つに直ちに出力されてもよい。
【００５８】
また、駆動モードがタッチモードである場合、後述する図１４に示したタッチセンシング部１４００で生成されたタッチ駆動信号Ｖｔｍが複数の信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４のうち、少なくとも１つを通して、複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４のうち、少なくとも１つに印加される際、データ駆動部１２０はタッチ駆動信号Ｖｔｍ、またはこれに対応する信号をデータラインＤＬに出力し、ゲート駆動部１３０はタッチ駆動信号Ｖｔｍ、またはこれに対応する信号をゲートラインＧＬに出力することができる。
【００５９】
この際、データ駆動部１２０はタッチ駆動信号Ｖｔｍ、またはこれに対応する信号が図１４のタッチセンシング部１４００から伝達されデータラインＤＬに出力することもでき、図１４に示したタッチセンシング部１４００からの信号が受信されることなく、予め定義されたタッチ駆動信号Ｖｔｍ、またはこれに対応する信号をデータラインＤＬに出力することもできる。
【００６０】
同様に、ゲート駆動部１３０はタッチ駆動信号Ｖｔｍ、またはこれに対応する信号を図１４に示したタッチセンシング部１４００から伝達され、ゲートラインＧＬに出力することもでき、図１４に示したタッチセンシング部１４００からの信号が受信されることなく、予め定義されたタッチ駆動信号Ｖｔｍ、またはこれに対応する信号をゲートラインＧＬに出力することもできる。
【００６１】
前述したタッチ駆動信号の印加経路及び印加方式については、図１５及び図１６を参照しながら詳細に説明する。
【００６２】
以下、駆動モードがタッチモードである場合、タッチ駆動信号ＶｔｍをゲートラインＧＬに出力するゲート駆動部１３０について、図７乃至図１３を参照しながら詳細に説明する。
【００６３】
図７は、実施例によるタッチスクリーンパネル一体型表示装置１００において、駆動モードであるディスプレイモード及びタッチモードに応じてスキャン信号ＶＧＨ、ＶＧＬ、またはタッチ駆動信号ＶｔｍをゲートラインＧＬに印加するためのゲート駆動部１３０内の多数のゲート駆動集積回路７００を示した図である。
【００６４】
図７を参照すると、実施例によるタッチスクリーンパネル一体型表示装置１００において、ゲート駆動部１３０はＧＩＰ（Ｇａｔｅ  Ｉｎ  Ｐａｎｅｌ）方式により表示パネル１１０に形成された多数のゲート駆動集積回路ＧＤＩＣ７００が多数含んで具現することができる。
【００６５】
図７を参照すると、表示パネル１１０には多数のゲート駆動集積回路７００の各々がスキャン信号を生成して出力することができるように、ハイレベル電圧ＶＧＨ及びローレベル電圧ＶＧＬを多数のゲート駆動集積回路７００の各々に伝達するハイレベル電圧配線ＨＶＬ、及びローレベル電圧配線ＬＶＬが表示パネル１１０に形成される。
【００６６】
図７を参照すると、多数のゲート駆動集積回路７００、ハイレベル電圧配線ＨＶＬ、及びローレベル電圧配線ＬＶＬは表示パネル１１０の非表示領域に形成されてもよい。
【００６７】
図７を参照すると、ハイレベル電圧ＶＧＨはクロック信号ＣＬＫであり得る。この場合、ハイレベル電圧配線ＨＶＬは２つ以上のクロック信号ＣＬＫ１、ＣＬＫ２、．．．を伝達する２つ以上のクロック信号配線を含むことができる。
【００６８】
図７を参照すると、駆動モードがディスプレイモードである場合、ゲート駆動部１３０内の多数のゲート駆動集積回路７００の各々は、ハイレベル電圧配線ＨＶＬを通して伝達されたハイレベル電圧ＶＧＨとローレベル電圧配線ＬＶＬを通して伝達されたローレベル電圧ＶＧＬに基づいて、１フレーム区間の間、ハイレベル電圧ＶＧＨを有する短い区間が一度存在し、残りの長い区間の間、ローレベル電圧ＶＧＬを有するスキャン信号を生成して当該ゲートラインＧＬに出力することができる。
【００６９】
図７を参照すると、一例として、駆動モードがタッチモードである場合、ゲート駆動部１３０内の多数のゲート駆動集積回路７００の各々は、ローレベル電圧配線ＬＶＬを通してローレベル電圧ＶＧＬが伝達され、伝達されたローレベル電圧ＶＧＬに該当する信号を変調して一定の大きさと位相を有する矩形波形態のタッチ駆動信号Ｖｔｍを生成し、これを当該ゲートラインＧＬに出力することができる。
【００７０】
図７を参照すると、他の例として、駆動モードがタッチモードである場合、ゲート駆動部１３０内の多数のゲート駆動集積回路７００の各々は、ローレベル電圧配線ＬＶＬを通して一定の大きさと位相を有する矩形波形態のタッチ駆動信号Ｖｔｍが伝達され、これを当該ゲートラインＧＬに出力することができる。
【００７１】
ここで、タッチ駆動信号Ｖｔｍは、図５及び図６に示したように、一定の大きさと位相を有する矩形波形態の信号であって、ローレベル電圧ＶＧＬが変調された信号である。従って、タッチ駆動信号ＶｔｍはＶＧＬ＿ｍｏｄとも記載する。
【００７２】
図７に示した多数のゲート駆動集積回路７００の各々の内部回路は、基本的にゲートラインＧＬにスキャン信号が出力される地点Ｎｏｕｔと連結されるプルアップトランジスタＴｕｐ、及びプルダウントランジスタＴｄｏｗｎと、該２つのトランジスタＴｕｐ、Ｔｄｏｗｎを制御する制御回路で構成される。
【００７３】
このようなゲート駆動集積回路７００を、図８乃至図１１を参照しながら例示的に説明する。
【００７４】
図８は、本実施例によるタッチスクリーンパネル一体型表示装置１００において、基本ゲート駆動構造を有するゲート駆動集積回路７００を例示的に示した図である。
【００７５】
図８を参照すると、ゲート駆動集積回路７００はプルアップトランジスタＴｕｐ及びプルダウントランジスタＴｄｏｗｎと、プルアップトランジスタＴｕｐ及びプルダウントランジスタＴｄｏｗｎを制御する制御回路７１０を含む。
【００７６】
ここで、制御回路７１０はプルアップトランジスタＴｕｐのゲート電圧が制御されるＱノード、プルダウントランジスタＴｄｏｗｎのゲート電圧が制御されるＱＢノード、セットノードＳ及びリセットノードＲとを含む。
【００７７】
図８を参照すると、駆動モードがディスプレイモードである場合、ゲート駆動集積回路７００は当該ゲートラインＧＬをオンさせるためにプルアップトランジスタＴｕｐがターンオンになり、ハイレベル電圧ＶＧＨを出力ノードＮｏｕｔを通してゲートラインＧＬに出力し、当該ゲートラインＧＬをオフさせるためにプルダウントランジスタＴｄｏｗｎがターンオンになり、ローレベル電圧ＶＧＬを出力ノードＮｏｕｔを通してゲートラインＧＬに出力する。
【００７８】
図８を参照すると、駆動モードがタッチモードである場合、ゲート駆動集積回路７００はプルダウントランジスタＴｄｏｗｎがターンオンとなり、ローレベル電圧ＶＧＬが変調された矩形波形態のタッチ駆動信号Ｖｔｍ、ＶＧＬ＿ｍｏｄを出力ノードＮｏｕｔを通してゲートラインＧＬに出力する。
【００７９】
図８を参照すると、駆動モードがディスプレイモードである場合、当該ゲートラインＧＬがオンになる時間に比して、当該ゲートラインＧＬがオフになる時間が遥かに長い。即ち、スキャン信号は短い時間の間のみハイレベル電圧ＶＧＨを有し、長い時間の間、ローレベル電圧ＶＧＬを有する。
【００８０】
図８に示したように、１つのプルダウントランジスタＴｄｏｗｎによってローレベル電圧ＶＧＬを出力するゲート駆動集積回路７００は、基本ゲート駆動構造を有する。
【００８１】
図８に示したような基本ゲート駆動構造を有するゲート駆動集積回路７００において、１つのプルダウントランジスタＴｄｏｗｎが長期間の間オン（Ｏｎ）にならなければならず、これはプルダウントランジスタＴｄｏｗｎの劣化を発生させる恐れがある。
【００８２】
このようなプルダウントランジスタＴｄｏｗｎの劣化によって、タッチモードにおいて、プルダウントランジスタＴｄｏｗｎを通してゲートラインＧＬに実際に印加される信号が変わる恐れがある。
【００８３】
また、プルダウントランジスタＴｄｏｗｎの劣化によって、タッチモードにおいて、プルダウントランジスタＴｄｏｗｎを通してゲートラインＧＬに実際に印加される信号の大きさ、または位相が、印加させようとするタッチ駆動信号Ｖｔｍ、ＶＧＬ＿ｍｏｄの大きさ又は位相と異なる恐れがある。
【００８４】
即ち、プルダウントランジスタＴｄｏｗｎの劣化によって、タッチモードにおいて、プルダウントランジスタＴｄｏｗｎを通してゲートラインＧＬに実際に印加される信号と、共通電極ＣＥに印加される信号の大きさ又は位相が異なる恐れがある。
【００８５】
これは、ゲートラインＧＬと共通電極ＣＥの間の電位差を発生させ、ゲートラインＧＬと共通電極ＣＥの間に寄生キャパシタンスを形成させる恐れがある。
【００８６】
従って、本実施例では、プルダウントランジスタＴｄｏｗｎの劣化を防止するか、減らすために、奇数（Ｏｄｄ）番目のフレームと偶数（Ｅｖｅｎ）番目のフレームで、各々の異なるプルダウントランジスタＴｄｏｗｎを利用するゲート駆動回路７００を開示し、これについて図９を参照して説明する。
【００８７】
図９は実施例によるタッチスクリーンパネル一体型表示装置１００において、交番ゲート駆動構造を有するゲート駆動集積回路７００を例示的に示した図である。
【００８８】
図９を参照すると、ゲート駆動集積回路７００はプルアップトランジスタＴｕｐと、奇数（Ｏｄｄ）番目のフレームで動作する第１のプルダウントランジスタＴｄｏｗｎ＿ｏｄｄ、及び偶数（Ｅｖｅｎ）番目のフレームで動作する第２のプルダウントランジスタＴｄｏｗｎ＿ｅｖｅｎとを含み、このような１つのプルアップトランジスタＴｕｐと２つのプルダウントランジスタＴｄｏｗｎ＿ｏｄｄ、Ｔｄｏｗｎ＿ｅｖｅｎを制御する制御回路７１０を含む。
【００８９】
ここで、制御回路７１０はプルアップトランジスタＴｕｐのゲート電圧が制御されるＱノード、第１のプルダウントランジスタＴｄｏｗｎ＿ｏｄｄのゲート電圧が制御されるノードＱＢ１、第２のプルダウントランジスタＴｄｏｗｎ＿ｅｖｅｎのゲート電圧が制御されるノードＱＢ２、セットノードS及びリセットノードＲとを含む。
【００９０】
図９を参照すると、奇数（Ｏｄｄ）番目のフレーム区間において、駆動モードがディスプレイモード区間である場合、ゲート駆動集積回路７００は、当該ゲートラインＧＬをオンさせるためにプルアップトランジスタＴｕｐがターンオンになり、ハイレベル電圧ＶＧＨを出力ノードＮｏｕｔを通してゲートラインＧＬに出力し、当該ゲートラインＧＬをオフさせるために第１のプルダウントランジスタＴｄｏｗｎ＿ｏｄｄがターンオンになり、ローレベル電圧ＶＧＬを出力ノードＮｏｕｔを通してゲートラインＧＬに出力する。
【００９１】
図９を参照すると、奇数（Ｏｄｄ）番目のフレーム区間において、駆動モードがタッチモード区間である場合、ゲート駆動集積回路７００は第１のプルダウントランジスタＴｄｏｗｎ＿ｏｄｄがターンオンになり、ローレベル電圧ＶＧＬが変調された矩形波形態のタッチ駆動信号Ｖｔｍ、ＶＧＬ＿ｍｏｄを出力ノードＮｏｕｔを通してゲートラインＧＬに出力する。
【００９２】
図９を参照すると、偶数（Ｅｖｅｎ）番目のフレーム区間において、駆動モードがディスプレイモード区間である場合、ゲート駆動集積回路７００は、当該ゲートラインＧＬをオンさせるために、プルアップトランジスタＴｕｐがターンオンになり、ハイレベル電圧ＶＧＨを出力ノードＮｏｕｔを通してゲートラインＧＬに出力し、当該ゲートラインＧＬをオフさせるために、第２のプルダウントランジスタＴｄｏｗｎ＿ｅｖｅｎがターンオンになり、ローレベル電圧ＶＧＬを出力ノードＮｏｕｔを通してゲートラインＧＬに出力する。
【００９３】
図９を参照すると、偶数（Ｅｖｅｎ）番目のフレーム区間において、駆動モードがタッチモード区間である場合、ゲート駆動集積回路７００は、第２のプルダウントランジスタＴｄｏｗｎ＿ｅｖｅｎがターンオンになり、ローレベル電圧ＶＧＬが変調された矩形波形態のタッチ駆動信号Ｖｔｍ、ＶＧＬ＿ｍｏｄを出力ノードＮｏｕｔを通してゲートラインＧＬに出力する。
【００９４】
前述したように、図９に示したゲート駆動集積回路７００は、第１のプルダウントランジスタＴｄｏｗｎ＿ｏｄｄ及び第２のプルダウントランジスタＴｄｏｗｎ＿ｅｖｅｎが奇数番目のフレーム区間と偶数番目のフレーム区間で交互に動作するため、交番ゲート駆動構造を有する。
【００９５】
このように、図９に示したように、ゲート駆動集積回路７００が交番ゲート駆動構造を有する場合、図８に示した基本ゲート駆動構造を有するゲート駆動集積回路７００に比して、第１のプルダウントランジスタＴｄｏｗｎ＿ｏｄｄ及び第２のプルダウントランジスタＴｄｏｗｎ＿ｅｖｅｎの劣化を減らすことができる。
【００９６】
従って、図９に示したように、交番ゲート駆動構造を有するゲート駆動集積回路７００は、図８に示した基本ゲート駆動構造を有するゲート駆動集積回路７００でプルダウントランジスタＴｄｏｗｎの劣化によりゲートラインＧＬに実際に印加される信号の大きさ、又は位相が印加させようとするタッチ駆動信号Ｖｔｍ、ＶＧＬ＿ｍｏｄの大きさ又は位相と異なって、ゲートラインＧＬと共通電極ＣＥの間の電位差が発生してゲートラインＧＬと共通電極ＣＥの間に寄生キャパシタンスが形成される現象を大幅に減らすことができる。
【００９７】
一方、図９に示したように、交番ゲート駆動構造を有するゲート駆動集積回路７００は、前述した長所にもかかわらず、第１のプルダウントランジスタＴｄｏｗｎ＿ｏｄｄ及び第２のプルダウントランジスタＴｄｏｗｎ＿ｅｖｅｎの各々の劣化程度が互いに異なり得る。
【００９８】
これにより、第１のプルダウントランジスタＴｄｏｗｎ＿ｏｄｄを通してゲートラインＧＬに実際に印加される信号と、第２のプルダウントランジスタＴｄｏｗｎ＿ｅｖｅｎを通してゲートラインＧＬに実際に印加される信号との間の大きさ又は位相の差が生じる恐れがある。
【００９９】
そのため、奇数番目のフレームと偶数番目のフレームのいずれか１つにおいて、ゲートラインＧＬと共通電極ＣＥの間の電位差が生じゲートラインＧＬと共通電極ＣＥの間に寄生キャパシタンスが形成される可能性がある。
【０１００】
また、奇数番目のフレームと偶数番目のフレームの各々で、ゲートラインＧＬと共通電極ＣＥの間の電位差が異なるように発生し、ゲートラインＧＬと共通電極ＣＥの間に寄生キャパシタンスが異なるように形成できるようになる。
【０１０１】
以下、駆動モードがタッチモードである場合、タッチ駆動信号Ｖｔｍ、ＶＧＬ＿ｍｏｄを供給するための別途のトランジスタ（以下、タッチモード専用トランジスタＴｔｍと呼ぶ）を用いるゲート駆動集積回路７００について、図１０及び図１１を参照して説明する。
【０１０２】
図１０は、実施例によるタッチスクリーンパネル一体型表示装置１００において、基本ゲート駆動構造（１つのＴｄｏｗｎ使用構造）とタッチモード専用トランジスタ構造を有するゲート駆動集積回路７００を例示的に示した図である。
【０１０３】
図１０を参照すると、ゲート駆動集積回路７００は駆動モードがディスプレイモードである場合、スキャン信号を当該ゲートラインＧＬに出力するためのプルアップトランジスタＴｕｐ及びプルダウントランジスタＴｄｏｗｎと、駆動モードがタッチモードである場合、タッチ駆動信号Ｖｔｍ、ＶＧＬ＿ｍｏｄ、またはこれに対応する信号を当該ゲートラインＧＬに出力するためのタッチモード専用トランジスタＴｔｍを別途に含み、プルアップトランジスタＴｕｐ及びプルダウントランジスタＴｄｏｗｎなどを制御するための制御回路７１０を含む。
【０１０４】
ここで、制御回路７１０はプルアップトランジスタＴｕｐのゲート電圧が制御されるＱノード、プルダウントランジスタＴｄｏｗｎのゲート電圧が制御されるＱＢノード、セットノードＳ、及びリセットノードＲとを含む。
【０１０５】
図１０を参照すると、各フレーム区間において、駆動モードがディスプレイモードである場合、ゲート駆動集積回路７００は当該ゲートラインＧＬをオンさせるためにプルアップトランジスタＴｕｐがターンオンになり、ハイレベル電圧ＶＧＨを出力ノードＮｏｕｔを通してゲートラインＧＬに出力し、当該ゲートラインＧＬをオフさせるためにプルダウントランジスタＴｄｏｗｎがターンオンになり、ローレベル電圧ＶＧＬを出力ノードＮｏｕｔを通してゲートラインＧＬに出力する。
【０１０６】
図１０を参照すると、駆動モードがタッチモードである場合、ゲート駆動集積回路７００はタッチモード専用トランジスタＴｔｍがターンオンになり、ローレベル電圧ＶＧＬが変調された矩形波形態のタッチ駆動信号Ｖｔｍ、ＶＧＬ＿ｍｏｄ、またはこれに対応する信号を出力ノードＮｏｕｔを通してゲートラインＧＬに出力する。
【０１０７】
図１０を参照すると、タッチモード専用トランジスタＴｔｍのソース（またはドレイン）は、プルアップトランジスタＴｕｐ、及びプルダウントランジスタＴｄｏｗｎが互いに連結されてスキャン信号が当該ゲートラインＧＬに出力される地点Ｎｏｕｔと連結される。
【０１０８】
また、タッチモード専用トランジスタＴｔｍのドレイン（またはソース）は、タッチ駆動信号Ｖｔｍ、ＶＧＬ＿ｍｏｄ、またはこれに対応する信号が印加される。
【０１０９】
また、タッチモード専用トランジスタＴｔｍのゲートＧａｔｅは、駆動モードがタッチモードである場合、タッチモード専用トランジスタＴｔｍがターンオンになるようにし、駆動モードがディスプレイモードである場合、タッチモード専用トランジスタＴｔｍがターンオフになるようにするタッチ同期化信号Ｔｏｕｃｈ  Ｓｙｎｃが印加される。
【０１１０】
図１０を参照すると、駆動モードがタッチモードである場合、プルダウントランジスタＴｄｏｗｎはターンオフになり、タッチモード専用トランジスタＴｔｍはターンオンになる。
【０１１１】
前述したように、図１０に示したゲート駆動集積回路７００は駆動モードがタッチモードである場合、タッチモード専用トランジスタＴｔｍを通して複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４のうち、少なくとも１つに印加されるタッチ駆動信号Ｖｔｍと大きさ及び位相が同一の変調信号に該当するタッチ駆動信号ＶＧＬ＿ｍｏｄ、またはこれに対応する信号を毎フレームごとに当該ゲートラインＧＬに出力する。
【０１１２】
図１０に示したように、タッチモードでは、ディスプレイモード区間で用いるプルダウントランジスタＴｄｏｗｎを使用せず、タッチモード専用トランジスタＴｔｍを用いて、タッチ駆動信号ＶＧＬ＿ｍｏｄ、またはこれに対応する信号を毎フレームごとに当該ゲートラインＧＬに出力することによって、ディスプレイモード時、プルダウントランジスタＴｄｏｗｎの劣化によって生じる問題点が大幅に減少できる。
【０１１３】
即ち、図１０に示したようにタッチモード専用トランジスタＴｔｍを有するゲート駆動集積回路７００は、ディスプレイモード区間でプルダウントランジスタが長時間オンになって劣化が生じても、これに対するいかなる影響もなく、タッチモード動作を行うことができる。
【０１１４】
図１１は、実施例によるタッチスクリーンパネル一体型表示装置１００において、交番ゲート駆動構造とタッチモード専用トランジスタＴｔｍ構造を有するゲート駆動集積回路７００を例示的に示した図である。
【０１１５】
図１１を参照すると、ゲート駆動集積回路７００は駆動モードがディスプレイモードである場合に動作するプルアップトランジスタＴｕｐ、第１のプルダウントランジスタＴｄｏｗｎ＿ｏｄｄ、及び第２のプルダウントランジスタＴｄｏｗｎ＿ｅｖｅｎとを含み、駆動モードがタッチモードである場合に動作するタッチモード専用トランジスタＴｔｍを別途に含む。  
【０１１６】
図１１を参照すると、ゲート駆動集積回路７００は１つのプルアップトランジスタＴｕｐと２つのプルダウントランジスタＴｄｏｗｎ＿ｏｄｄ、Ｔｄｏｗｎ＿ｅｖｅｎなどを制御する制御回路７１０を含む。
【０１１７】
ここで、制御回路７１０はプルアップトランジスタＴｕｐのゲート電圧が制御されるＱノード、第１のプルダウントランジスタＴｄｏｗｎ＿ｏｄｄのゲート電圧が制御されるノードＱＢ１、第２のプルダウントランジスタＴｄｏｗｎ＿ｅｖｅｎのゲート電圧が制御されるノードＱＢ２、セットノードＳ、及びリセットノードＲとを含む。
【０１１８】
図１１を参照すると、奇数（Ｏｄｄ）番目のフレーム区間において、駆動モードがディスプレイモード区間である場合、ゲート駆動集積回路７００は当該ゲートラインＧＬをオンさせるためにプルアップトランジスタＴｕｐがターンオンになり、ハイレベル電圧ＶＧＨを出力ノードＮｏｕｔを通してゲートラインＧＬに出力し、当該ゲートラインＧＬをオフさせるために第１のプルダウントランジスタＴｄｏｗｎ＿ｏｄｄがターンオンになり、ローレベル電圧ＶＧＬを出力ノードＮｏｕｔを通してゲートラインＧＬに出力する。
【０１１９】
図１１を参照すると、奇数（Ｏｄｄ）番目のフレーム区間において、駆動モードがタッチモード区間である場合、ゲート駆動集積回路７００は、タッチモード専用トランジスタＴｔｍがターンオンになり、ローレベル電圧ＶＧＬが変調された矩形波形態のタッチ駆動信号Ｖｔｍ、ＶＧＬ＿ｍｏｄを出力ノードＮｏｕｔを通してゲートラインＧＬに出力する。
【０１２０】
図１１を参照すると、偶数（Ｅｖｅｎ）番目のフレーム区間において、駆動モードがディスプレイモード区間である場合、ゲート駆動集積回路７００は、当該ゲートラインＧＬをオン（Ｏｎ）させるためにプルアップトランジスタＴｕｐがターンオンになり、ハイレベル電圧ＶＧＨを出力ノードＮｏｕｔを通してゲートラインＧＬに出力し、当該ゲートラインＧＬをオフ（Ｏｆｆ）させるために第２のプルダウントランジスタＴｄｏｗｎ＿ｅｖｅｎがターンオンになり、ローレベル電圧ＶＧＬを出力ノードＮｏｕｔを通してゲートラインＧＬに出力する。
【０１２１】
図１１を参照すると、偶数（Ｅｖｅｎ）番目のフレーム区間において、駆動モードがタッチモード区間である場合、ゲート駆動集積回路７００は、タッチモード専用トランジスタＴｔｍがターンオンになり、ローレベル電圧ＶＧＬが変調された矩形波形態のタッチ駆動信号Ｖｔｍ、ＶＧＬ＿ｍｏｄを出力ノードＮｏｕｔを通してゲートラインＧＬに出力する。
【０１２２】
図１１を参照すると、タッチモード専用トランジスタＴｔｍのソース（またはドレイン）は、プルアップトランジスタＴｕｐ及びプルダウントランジスタＴｄｏｗｎが互いに連結されてスキャン信号が当該ゲートラインＧＬに出力される地点Ｎｏｕｔと連結される。
【０１２３】
また、タッチモード専用トランジスタＴｔｍのドレイン（またはソース）は、タッチ駆動信号Ｖｔｍ、ＶＧＬ＿ｍｏｄ、またはこれに対応する信号が印加される。
【０１２４】
また、タッチモード専用トランジスタＴｔｍのゲートＧａｔｅは駆動モードがタッチモードである場合、タッチモード専用トランジスタＴｔｍがターンオンになるようにし、駆動モードがディスプレイモードである場合、タッチモード専用トランジスタＴｔｍがターンオフになるようにするタッチ同期化信号Ｔｏｕｃｈ  Ｓｙｎｃが印加される。
【０１２５】
図１１を参照すると、駆動モードがタッチモードである場合、第１のプルダウントランジスタＴｄｏｗｎ＿ｏｄｄ及び第２のプルダウントランジスタＴｄｏｗｎ＿ｅｖｅｎは、いずれもターンオフになり、タッチモード専用トランジスタＴｔｍはターンオンになる。
【０１２６】
前述したように、図１１に示したゲート駆動集積回路７００は駆動モードがタッチモードである場合、タッチモード専用トランジスタＴｔｍを通して複数の共通電極ＣＥ１１、ＣＥ１２、ＣＥ１３、ＣＥ１４、ＣＥ２１、ＣＥ２２、ＣＥ２３、ＣＥ２４、ＣＥ３１、ＣＥ３２、ＣＥ３３、ＣＥ３４のうち、少なくとも１つに印加されるタッチ駆動信号Ｖｔｍと大きさ及び位相が同一の変調信号に該当するタッチ駆動信号ＶＧＬ＿ｍｏｄ、またはこれに対応する信号を毎フレームごとに、当該ゲートラインＧＬに出力する。
【０１２７】
図１１に示したゲート駆動集積回路７００は交番ゲート駆動構造を有するため、図８及び図１０に示した基準ゲート駆動構造を有するゲート駆動集積回路７００に比して、第１のプルダウントランジスタＴｄｏｗｎ＿ｏｄｄ及び第２のプルダウントランジスタＴｄｏｗｎ＿ｅｖｅｎの劣化を低減することができる。
【０１２８】
従って、図１１に示したように、交番ゲート駆動構造を有するゲート駆動集積回路７００は、図８及び図１０に示した基本ゲート駆動構造を有するゲート駆動集積回路７００において、１つのプルダウントランジスタＴｄｏｗｎの劣化によってゲートラインＧＬに実際に印加された信号の大きさ、または位相がゲートラインＧＬに印加させようとしたタッチ駆動信号ＶＧＬ＿ｍｏｄの大きさ又は位相と異なり、ゲートラインＧＬと共通電極ＣＥの間に電位差が生じ、ゲートラインＧＬと共通電極ＣＥとの間に寄生キャパシタンスが形成される現象を大幅に低減することができる。
【０１２９】
また、図１１に示したゲート駆動集積回路７００は、タッチモードにおいて、タッチモード専用トランジスタＴｔｍを用いるため、第１のプルダウントランジスタＴｄｏｗｎ＿ｏｄｄ及び第２のプルダウントランジスタＴｄｏｗｎ＿ｅｖｅｎの各々の劣化の程度が互いに異なっても、このような影響を全く受けない。
【０１３０】
即ち、図１１に示したゲート駆動集積回路７００は、タッチモードにおいて、奇数番目のフレームと偶数番目のフレームの各々で、同一のタッチモード専用トランジスタＴｔｍを用いて、タッチ駆動信号ＶＧＬ＿ｍｏｄ、またはこれに対応する信号を毎フレームごとに、当該ゲートラインＧＬに出力する。
【０１３１】
従って、図１１に示したゲート駆動集積回路７００は、ディスプレイモード時、第１のプルダウントランジスタＴｄｏｗｎ＿ｏｄｄと第２のプルダウントランジスタＴｄｏｗｎ＿ｅｖｅｎ各々の劣化とその劣化の差が発生しても、これに対するいかなる影響もなく、タッチモード動作を正常にすることができる。これにより、ゲートラインＧＬと共通電極ＣＥの間の電位差が発生せず、ゲートラインＧＬと共通電極ＣＥの間の寄生キャパシタンスが形成されず、もしくは大幅に減少する。
【０１３２】
図１２はゲート駆動集積回路７００が交番ゲート駆動構造を有する場合、タッチモード専用トランジスタＴｔｍの有無によってゲートラインに印加される信号波形の差異点を説明するための図である。
【０１３３】
図１２の（ａ）は、ディスプレイモード及びタッチモード区間がある奇数番目のフレーム区間と偶数番目のフレーム区間を示すタイミング図である。図１２の（ｂ）は、図９に示したように、交番ゲート駆動構造を有し、タッチモード専用トランジスタＴｍのないゲート駆動集積回路７００によって、奇数番目のフレーム区間と偶数番目のフレーム区間でゲートラインＧＬに実際に印加される信号波形である。図１２の（ｃ）は、図１１に示した交番ゲート駆動構造を有し、且つタッチモード専用トランジスタＴｍを有するゲート駆動集積回路７００によって、奇数番目のフレーム区間と偶数番目のフレーム区間でゲートラインＧＬに実際に印加される信号波形である。
【０１３４】
図１２の（ｂ）を参照すると、図９に示したように、交番ゲート駆動構造を有し、且つタッチモード専用トランジスタＴｍのないゲート駆動集積回路７００の場合、奇数番目のフレームで動作する第１のプルダウントランジスタＴｄｏｗｎ＿ｏｄｄと偶数藩目のフレームで動作する第２のプルダウントランジスタＴｄｏｗｎ＿ｅｖｅｎの劣化の差によって、奇数番目フレーム区間のタッチモード時、第１のプルダウントランジスタＴｄｏｗｎ＿ｏｄｄによってゲートラインに実際に印加される信号Ｖｔｍ＿ｏｄｄと、偶数番目フレーム区間のタッチモード時、第２のプルダウントランジスタＴｄｏｗｎ＿ｅｖｅｎによってゲートラインに実際に印加された信号Ｖｔｍ＿ｅｖｅｎの間の電位差（△Ｖ）が生じることが判る。
【０１３５】
これに比して、図１２の（ｃ）を参照すると、図１１に示したように、交番ゲート駆動構造を有し、且つタッチモード専用トランジスタＴｍのあるゲート駆動集積回路７００の場合、奇数番目のフレームで動作する第１のプルダウントランジスタＴｄｏｗｎ＿ｏｄｄと偶数藩目のフレームで動作する第２のプルダウントランジスタＴｄｏｗｎ＿ｅｖｅｎの劣化の差とは関係なく、同一のタッチモード専用トランジスタＴｍを用いるため、奇数番目フレーム区間のタッチモード時、タッチモード専用トランジスタＴｍによってゲートラインに実際に印加された信号Ｖｔｍ＿ｏｄｄと、偶数番目フレーム区間のタッチモード時、タッチモード専用トランジスタＴｍによってゲートラインに実際に印加された信号Ｖｔｍ＿ｅｖｅｎの間の電位差（△Ｖ）が生じないことが判る。従って、共通電極ＣＥとゲートラインＧＬの間の寄生キャパシタンスの発生を防止することができる。
【０１３６】
図１３は、実施例によるタッチスクリーンパネル一体型表示装置１００において、駆動モードがタッチモードである場合、ローレベル電圧配線ＬＶＬ及びハイレベル電圧配線ＨＶＬを通した信号の伝達を示した図である。
【０１３７】
図１３を参照すると、実施例によるタッチスクリーンパネル一体型表示装置１００において、駆動モードがタッチモードである場合、ローレベル電圧配線ＬＶＬを通してタッチ駆動信号Ｖｔｍをゲート駆動集積回路７００にタッチ駆動信号ＶＧＬ＿ｍｏｄを供給する際、ローレベル電圧配線ＬＶＬとハイレベル電圧配線ＨＶＬの間の寄生キャパシタンスの発生を防止、若しくは削減するために、ハイレベル電圧配線ＨＶＬにもタッチ駆動信号ＶＧＬ＿ｍｏｄを印加することができる。
【０１３８】
図１４は実施例によるタッチスクリーンパネル一体型表示装置１００において、共通電極ＣＥ、データラインＤＬ、及びゲートラインＧＬに信号を出力するための構成を示した図である。
【０１３９】
図１４を参照すると、実施例によるタッチスクリーンパネル一体型表示装置１００は、タッチ駆動信号Ｖｔｍを生成して出力するタッチセンシング部１４００と、共通電圧Ｖｃｏｍを供給する共通電圧供給部１４１０を更に含む。
【０１４０】
図１４を参照すると、タッチセンシング部１４００に生成され出力されたタッチ駆動信号Ｖｔｍと共通電圧供給部１４１０から供給された共通電圧Ｖｃｏｍは、駆動モードの種類に応じて当該信号ラインＳＬを通して共通電極ＣＥに印加される。
【０１４１】
図１４を参照すると、タッチセンシング部１４００に生成され出力されたタッチ駆動信号Ｖｔｍは、データ駆動部１２０内のデータ駆動集積回路（ＤＤＩＣ：Ｄａｔａ  Ｄｒｉｖｅｒ  ＩＣ）１４２０を通して当該データラインＤＬに印加できるようになる。
【０１４２】
図１４を参照すると、タッチセンシング部１４００に生成されて出力されたタッチ駆動信号Ｖｔｍは、ゲート駆動部１３０内のゲート駆動集積回路ＧＤＩＣ７００を通して当該ゲートラインＧＬに印加できるようになる。
【０１４３】
図１５は実施例によるタッチスクリーンパネル一体型表示装置１００において、タッチセンシング部１４００の具現例を示した図である。
【０１４４】
図１５を参照すると、タッチセンシング部１４００はデータ駆動部１２０に含まれた少なくとも１つのデータ駆動集積回路１４２０と１チップ１５００で具現することができる。
【０１４５】
この場合、データ駆動部１２０は少なくとも１つの１チップ１５００で備えることが可能である。
【０１４６】
この場合、複数の信号ラインＳＬ１１、ＳＬ１２、ＳＬ１３、ＳＬ１４、ＳＬ２ＳＬ２２、ＳＬ２３、ＳＬ２４、ＳＬ３１、ＳＬ３２、ＳＬ３３、ＳＬ３４は１つの１チップ１５００と連結されるか、２つ以上の１チップ１５００に分かれて連結される。
【０１４７】
また、共通電圧供給部１４１０から供給された共通電圧Ｖｃｏｍは１チップ１５００に印加される。
【０１４８】
１チップ１５００に含まれたタッチセンシング部１４００は、共通電圧供給部１４１０から印加された共通電圧Ｖｃｏｍと内部で生成されたタッチ駆動信号Ｖｔｍのいずれか１つを駆動モードの種類に応じて選択して出力することができる。
【０１４９】
１チップ１５００に含まれたタッチセンシング部１４００は、ディスプレイモードである場合、共通電圧供給部１４１０から印加された共通電圧Ｖｃｏｍを選択し、複数の信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４に出力する。
【０１５０】
１チップ１５００に含まれたタッチセンシング部１４００は、タッチモードである場合、内部で生成されたタッチ駆動信号Ｖｔｍを選択し、複数の信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４の中、少なくとも１つに出力することができる。
【０１５１】
図１５を参照すると、タッチモードである場合、１チップ１５００に含まれたタッチセンシング部１４００から生成されたタッチ駆動信号Ｖｔｍは、１チップ１５００に含まれた少なくとも１つのデータ駆動集積回路１４２０を通してデータラインＤＬに出力される。
【０１５２】
図１５を参照すると、タッチモードである場合、１チップ１５００に含まれたタッチセンシング部１４００から生成されたタッチ駆動信号Ｖｔｍは、ゲート駆動部１３０に含まれたゲート駆動集積回路７００を通してデータラインＤＬに出力される。
【０１５３】
図１６は、実施例によるタッチスクリーンパネル一体型表示装置１００において、タッチセンシング部１４００の他の具現例を示した図である。
【０１５４】
図１６を参照すると、タッチセンシング部１４００は、少なくとも１つのタッチ集積回路チップ１６００で具現され、データ駆動部１２０はチップ型で具現されたデータ駆動集積回路１４２０を少なくとも１つ含む。
【０１５５】
図１６を参照すると、タッチ集積回路チップ１６００で生成され出力されたタッチ駆動信号Ｖｔｍと、共通電圧供給部１４１０から供給された共通電圧Ｖｃｏｍのいずれか１つがマルチプレクサなどのスイッチング素子を通して駆動モードの種類に応じて選択され出力できるようになる。
【０１５６】
ディスプレイモードである場合、共通電圧供給部１４１０から印加された共通電圧Ｖｃｏｍが選択されて複数の信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４に出力される。
【０１５７】
タッチモードである場合、タッチ集積回路チップ１６００で生成されて出力されたタッチ駆動信号Ｖｔｍが複数の信号ラインＳＬ１１、ＳＬ１２、ＳＬ１３、ＳＬ１４、ＳＬ２１、ＳＬ２２、ＳＬ２３、ＳＬ２４、ＳＬ３１、ＳＬ３２、ＳＬ３３、ＳＬ３４のうち、少なくとも１つに出力できるようになる。
【０１５８】
図１６を参照すると、タッチ集積回路チップ１６００から生成され出力されたタッチ駆動信号Ｖｔｍはデータ駆動部１２０及びゲート駆動部１３０に伝達され、データラインＤＬ及びゲートラインＧＬに印加できるようになる。
【０１５９】
以上で説明したように本発明によれば、タッチ電極の役割を果たす共通電極ＣＥにタッチ駆動信号が印加される際、表示パネル１１０に形成されたゲートラインＧＬと共通電極ＣＥの間に寄生キャパシタンスＣｐａｒａが形成されないようにするタッチスクリーンパネル一体型表示装置１００、及び表示パネル１１０を提供する効果を有する。
【０１６０】
本発明によれば、タッチ電極の役割を果たす共通電極ＣＥにタッチ駆動信号が印加される際、表示パネル１１０に形成されたデータラインＤＬと共通電極ＣＥの間に寄生キャパシタンスＣｐａｒａが形成されないようにするタッチスクリーンパネル一体型表示装置１００及び表示パネル１１０を提供する効果を有する。
【０１６１】
このように、寄生キャパシタンスＣｐａｒａの形成を防止、または削減することにより、タッチ駆動の負荷を減らし、且つタッチセンシングの精度を更に向上させることができる。
【０１６２】
また、本発明によれば、ディスプレイモードにおいてゲートラインＧＬにローレベル電圧のスキャン信号を出力するためのプルダウントランジスタＴｄｏｗｎ、Ｔｄｏｗｎ＿ｏｄｄ、Ｔｄｏｗｎ＿ｅｖｅｎの劣化が生じても、これに対するいかなる影響も無く、タッチモード時、タッチモード専用トランジスタＴｔｍを用いてゲートラインＧＬに所望のタッチ駆動信号を印加することができる。
【０１６３】
これにより、共通電極ＣＥとゲートラインＧＬの間に寄生キャパシタンスＣｐａｒａの発生可能性を更に減らすことができる。
【０１６４】
また、本発明によれば、ディスプレイモードにおいてゲートラインＧＬにローレベル電圧のスキャン信号を出力するためのプルダウントランジスタＴｄｏｗｎの劣化を減らすために、奇数番目のフレームと偶数番目のフレーム各々で別途のプルダウントランジスタＴｄｏｗｎ＿ｏｄｄ、Ｔｄｏｗｎ＿ｅｖｅｎを交番して駆動する場合、奇数番目のフレームと偶数番目のフレームの各々で交番して動作する２つのプルダウントランジスタＴｄｏｗｎ＿ｏｄｄ、Ｔｄｏｗｎ＿ｅｖｅｎの間の劣化程度の差にもかかわらず、これに対するいかなる影響も無く、タッチモード時、タッチモード専用トランジスタＴｔｍを用いてゲートラインＧＬに所望のタッチ駆動信号を印加することができる。
【０１６５】
これにより、共通電極ＣＥとゲートラインＧＬの間に寄生キャパシタンスＣｐａｒａの発生可能性を更に減らすことができる。
【０１６６】
以上の説明及び添付の図は、本発明の技術的思想を例示的に説明したことに過ぎないものであって、本発明の本質的な特性から外れない範囲で、分離、置換及び変換などの多様な修正及び変形が可能である。従って、本発明に開示された実施例は本発明の技術思想を限定するためのものではなく、説明するためのものであって、このような実施例により本発明の技術思想の範囲が限定されるものではない。本発明の保護範囲は特許請求の範囲により解釈されるべきであり、それと同等な範囲の内にある全ての技術的思想は本発明の権利範囲に含まれるものと解釈されるべきである。
【符号の説明】
【０１６７】
１００  タッチスクリーンパネル一体型表示装置
１１０  タッチスクリーンパネル一体型表示パネル
１２０  データ駆動部
１３０  ゲート駆動部
１４０  タイミングコントローラ
７００  ゲート駆動集積回路
１４００  タッチセンシング部
１４１０  共通電圧供給部
１４２０  データ駆動集積回路
１５００  １チップ
１６００  タッチ集積回路
【図１】
2016014857.tif 000003
【図２】
2016014857.tif 000004
【図３】
2016014857.tif 000005
【図４】
2016014857.tif 000006
【図５】
2016014857.tif 000007
【図６】
2016014857.tif 000008
【図７】
2016014857.tif 000009
【図８】
2016014857.tif 000010
【図９】
2016014857.tif 000011
【図１０】
2016014857.tif 000012
【図１１】
2016014857.tif 000013
【図１２】
2016014857.tif 000014
【図１３】
2016014857.tif 000015
【図１４】
2016014857.tif 000016
【図１５】
2016014857.tif 000017
【図１６】
2016014857.tif 000018